(57)【要約】【課題】建築物における断熱・遮熱を十分に発揮するとともに、施工にあたって廃棄する端材を極力少なくし、屋外からの雨水の浸入を防ぎ、結露にも対処することができる建築物の断熱工法を提供する。【解決手段】可撓性を有する合成樹脂シートにアルミニウム箔を貼着した反射シートを、該アルミニウム箔が建物の屋外側に位置するようにして柱・間柱、土台・窓まわりの屋外側に配設し、反射シートと柱・間柱、土台・窓まわりの室内側に配設した内壁下地との間隙に硬質ウレタン樹脂発泡性液を発泡させて吹き付けて硬質ウレタン樹脂発泡層を形成し、反射シートの屋外側に上下方向に空気が流通する通気層を介在させて外壁材を配設する。【選択図】図１
2014163179.tif 000002
【特許請求の範囲】
【請求項１】
可撓性を有する合成樹脂シートにアルミニウム箔を貼着した反射シートを、該アルミニウム箔が建物の屋外側に位置するようにして柱・間柱、土台・窓まわりの屋外側に配設する工程と、
前記反射シートと柱・間柱、土台・窓まわりの室内側に配設した内壁下地との間隙に硬質ウレタン樹脂発泡性液を発泡させて吹き付けて硬質ウレタン樹脂発泡層を形成する工程と、
該反射シートの端縁と前記柱・間柱、土台・窓まわりとの接合部分に反射シートの屋外側からブチルゴム系防水テープを貼着する工程と、
前記反射シートの屋外側に上下方向に空気が流通する通気層を介在させて外壁材を配設する工程と、を備えることを特徴とする建築物の断熱工法。
【請求項２】
反射シートは、アルミニウム箔とポリエチレンラミネート層とポリエチレン繊維織布とを積層して構成されることを特徴とする請求項１記載の建築物の断熱工法。
【請求項３】
反射シートは、柱・間柱、胴差し・軒桁、土台・窓まわりの屋外側に、ステープルにより固定されることを特徴とする請求項１又は２記載の建築物の断熱工法。
【請求項４】
換気ファンと蓄熱エレメントを備え、一方が吸気中に他方が排気する１対又は複数対からなる換気ユニットを建物の室内と屋外を挿通させて配設することを特徴とする請求項１又は２記載の建築物の断熱工法。
【請求項５】
ホウ素系防腐剤を反射シートが取り付けられる建物の木部に塗布することを特徴とする請求項１又は２記載の建築物の断熱工法。
【発明の詳細な説明】
【技術分野】
【０００１】
本発明は、建築物の断熱工法に関する。
【背景技術】
【０００２】
住宅等の建築物にあっては、室内環境を好適に維持するために、屋外の冷気や熱気を遮断する断熱材として、従来からグラスウール、ロックウール、ウレタンボード、発泡合成樹脂材等が用いられている。また、外気熱を遮蔽する遮熱材としては、アルミニウム箔等が用いられている。
そして、これらの断熱材と遮熱材を組み合わせた、発泡合成樹脂ボードにアルミニウム箔を貼り合わせた板状のアルミニウム熱線反射材も存在しており、これを、柱、軒桁、土台、窓まわり等の屋外側に取り付け、柱、軒桁、土台、窓まわり等の屋内側との間隔区画内に、液状の硬質ウレタン樹脂発泡材を吹き付けて発泡させて充填する断熱工法が存在している（特許文献１参照）。
【０００３】
このアルミニウム箔とポリエチレン系発泡シートを結合して形成したアルミニウム熱線反射材と、硬質ウレタン樹脂発泡層とを組合せることにより、断熱、遮熱、保温及び防露に優れた性能を発揮するものである。
【先行技術文献】
【特許文献】
【０００４】
【特許文献１】特開２００７−１３８５５８号公報
【発明の概要】
【発明が解決しようとする課題】
【０００５】
しかしながら、上記特許文献１に記載された断熱材及びその工法にあっては、例えば柱・間柱、土台、窓まわりの屋外側にボード状のアルミニウム熱線反射材を固定する際に、施工個所の寸法に合わせて定形のアルミニウム熱線反射材を切断することから、廃棄する端材が生じ、無駄が発生せざるを得なかった。また、断熱材の端部に、気密テープを貼着して隙間を塞ぐものの、その気密テープ部分から雨水が浸入するおそれがあり、一層の防水対策が求められていた。
加えて、省エネルギー基準による地域区分で、厳冬期には−２０℃にもなるＩ地域の北海道や、II地域の東北・長野の山間部などの寒冷地においては、特に断熱効果が大きい断熱構造が用いられているが、暖房を効かせた屋内と屋外との温度差が大きいことから、上記のような断熱構造の室内側に結露を生じることが多々あり、この水分や湿気が建物の木材等を腐らせる原因ともなっていた。
【０００６】
本発明は、前述の事情に鑑みて為されたものであって、建築物における断熱・遮熱を十分に発揮するとともに、施工にあたって廃棄する端材を極力少なくし、かつ屋外からの雨水の浸入を防ぎ、結露にも対処することができる建築物の断熱工法を提供することを目的とするものである。
【０００７】
本発明の建築物の断熱工法は、可撓性を有する合成樹脂シートにアルミニウム箔を貼着した反射シートを、該アルミニウム箔が建物の屋外側に位置するようにして柱・間柱、土台・窓まわりの屋外側に配設する工程と、前記反射シートと柱・間柱、土台・窓まわりの室内側に配設した内壁下地との間隙に硬質ウレタン樹脂発泡性液を発泡させて吹き付けて硬質ウレタン樹脂発泡層を形成する工程と、該反射シートの端縁と前記柱・間柱、土台・窓まわりとの接合部分に反射シートの屋外側からブチルゴム系防水テープを貼着する工程と、前記反射シートの屋外側に上下方向に空気が流通する通気層を介在させて外壁材を配設する工程と、を備えることを特徴とする。
これにより、本発明の建築物の断熱工法によれば、外壁材からの輻射熱を反射シートにより通気層側に反射し、そしてその熱を通気層を通る空気の流れにより屋外へと排出することができるとともに、反射しきれずに反射シートを伝達した熱は、硬質ウレタン樹脂発泡層により確実に断熱することができる。また反射シートの施工に際して、従来のボードタイプと異なり、一般にロール状に巻回されるシート体にあっては、切断することで無駄になる端材が発生せず、施工に係るコストの低減に寄与することができる。それに加え、ブチルゴム系防水テープを屋外側から反射シートの端縁に貼着することにより、反射シートの端縁からの雨水の浸入を防いで好適な防水機能を発揮することができる。
【０００８】
また、反射シートは、アルミニウム箔とポリエチレンラミネート層とポリエチレン繊維織布とを積層して構成されることを特徴とする。
【０００９】
また、反射シートは、柱・間柱、胴差し・軒桁、土台・窓まわりの屋外側に、ステープルにより固定されることを特徴とする。
【００１０】
また、換気ファンと蓄熱エレメントを備え、一方が吸気中に他方が排気する１対又は複数対からなる換気ユニットを建物の室内と屋外を挿通させて配設することを特徴とする。
【００１１】
また、ホウ素系防腐剤を反射シートが取り付けられる建物の木部に塗布することを特徴とする。
【図面の簡単な説明】
【００１２】
【図１】本発明に係る建築物の断熱工法を示す説明図である。
【図２】本発明に係る建築物の断熱工法に用いるアルミニウム複合断熱シートの説明図である。
【図３】本発明に係る建築物の断熱工法を示す説明図である。
【図４】本発明に係る建築物の断熱工法に用いる換気システムを示す説明図である。
【発明を実施するための形態】
【００１３】
以下、添付図面を参照しながら、本発明の建築物の断熱工法の形態を詳細に説明する。図１〜図４は、本発明の実施の形態を例示する図であり、これらの図において、同一の符号を付した部分は同一物を表わし、基本的な構成及び動作は同様であるものとする。
【００１４】
＜構成＞
図１は、本発明の一実施形態を示しており、木造在来工法における住宅の壁構造、特に土台まわり若しくは窓まわりを表している。図中１は壁構造、２は胴差し・軒桁、３は土台・窓まわり、４はアルミニウム複合断熱シート、５は硬質ウレタン樹脂発泡材、６はアルミニウム複合断熱シート４と外壁材７との間に設けられた通気層、８はプラスターボード等の内壁下地である。
柱・間柱は、図１に示す胴差し・軒桁２と土台・窓まわり３の間に上下方向に位置し、硬質ウレタン樹脂発泡材５が介在する間隙を設定している。
【００１５】
アルミニウム複合断熱シート４は、図２に示すように、アルミニウム箔４１と、透明なポリエチレンラミネート層４２と、強度を有するポリエチレン繊維織布４３の３層が貼着されて構成されたシート体であり、軽量性、柔軟性、可撓性、耐水性を有する。このアルミニウム複合断熱シート４は、厚さが約０．１２ミリメートルときわめて薄いにも拘わらず、破裂強度と引張り強度が大きいことから施工性に優れるとともに、建築材料として使いやすいように、予め長尺なロール状に巻回された形で提供されている。
このアルミニウム複合断熱シート４は、約９６％という大きな熱反射率を有していることから、断熱構造の屋外側に配設することで、大きな遮熱効果が発揮される。
【００１６】
５は硬質ウレタン樹脂発泡材であり、柱・間柱と胴差し・軒桁２と土台・窓まわり３を挟むように屋外側に貼られたアルミニウム複合断熱シート４と、同じく屋外側に貼られた内壁下地８との間隙に位置する。
【００１７】
図３は、本実施例の断熱工法を窓まわりに実施する場合を一例として示すものであり、アルミサッシのまわりに本願発明の断熱構造を施工する状態を上から見たものである。この実施例にあっては、アルミサッシ９の屋外側に、アルミニウム複合断熱シート４の下端が、防水性能を発揮するブチルゴム系粘着テープ１０により接着固定されている状態を示しており、このブチルゴム系粘着テープ１０を使用することにより、アルミサッシ９を伝わって流れる雨水等がアルミニウム複合断熱シート４の隙間から室内に浸入するおそれがなくなるものである。もちろん、ブチルゴム系粘着テープ１０は、窓まわり以外の土台まわり等にも使用することができるものである。
【００１８】
図４は、本発明の断熱構造において、断熱とともに必要となる換気システムを示している。これは、換気ファン１１と蓄熱エレメント１２を備えた１対又は複数対の換気ユニット１３を、建物の壁に配設するものであり、従来のダクトを用いた換気システムと比較して簡易な構造となっている。この１対又は複数対の換気ユニット１３は、図示しないコントローラに接続され、一方の換気ユニット１３を吸気（屋外から室内に）させるとともに、他方の換気ユニット１３を排気（室内から屋外に）させ、これを数十秒〜数分ごとに相互に反転することで吸気・排気を切り替えるものである。
【００１９】
すなわち、冬季において外気温が０℃の場合に、排気時には、室内の２３℃の空気の熱を蓄熱エレメント１２に蓄積して、屋外に３℃の空気を排気するとともに、吸気時には、０℃の冷たい空気を蓄熱エレメント１２で暖めて１７℃の空気にして室内に取り込むものである。
換気ユニット１３は、消費電力は数Ｗ／ｈ以下と小さいものの、ファンの音を抑えて運転した場合でもその換気量は１０ｍ３／ｈ程度あり、結露防止のための換気能力としては十分となる。これにより、換気ユニット１３を２４時間連続運転させることも可能である。
【００２０】
＜工法＞
上述した構成からなる本実施形態の断熱構造の工法について、以下に詳述する。
まず、アルミニウム複合断熱シート４を、柱・間柱、胴差し・軒桁２、土台・窓まわり３の屋外側に、鋲打機を用いてステープルで固定する。この際、アルミニウム複合断熱シート４はロール状に巻回されているので、必要な分だけロールから繰り出して切断して用い、廃棄する端材がほとんど発生しない。そして、薄く可撓性を有するアルミニウム複合断熱シート４であっても、ステープルで止める間隔を細かくすることにより、ボードと同じようにピンと張った状態で平坦な面を保持することができる。
【００２１】
そして施工現場において、アルミニウム複合断熱シート４と内壁下地８との間に、硬質ウレタン樹脂発泡性液を発泡させて吹き付けることにより、硬質ウレタン樹脂発泡材５を形成する。
アルミニウム複合断熱シート４と外壁材７との間には、２０〜３０ミリメートル程度の間隔の通気層６を形成する。
これにより、夏に温まった外壁材７から屋内側への輻射熱をアルミニウム複合断熱シート４のアルミニウム箔４１が反射し、この熱を、通気層６の下方から上方へと通じる空気の流れにより屋外に排出することができる。この通気層６の空気の流れを作るためには、特段にファン等を設置する必要がなく、自然の空気の対流を利用することで足りるものである。
【００２２】
さらに、特に図示しないが、アルミニウム複合断熱シート４を配設する木部にホウ素系化合物を主成分とする木材保存剤を塗布することとする。これにより、木部が結露等により腐朽することを防止することができる。
【産業上の利用可能性】
【００２３】
本発明の断熱工法は、住宅産業において利用することができるものである。
【符号の説明】
【００２４】
４  アルミニウム複合断熱シート
４１  アルミニウム箔
４２  ポリエチレンラミネート層
４３  ポリエチレン繊維織布
５  硬質ウレタン樹脂発泡材
６  通気層
７  外壁材
８  内壁下地
９  アルミサッシ
１０  ブチルゴム系粘着テープ
１１  換気ファン
１２  蓄熱エレメント
１３  換気ユニット
【図１】
2014163179.tif 000003
【図２】
2014163179.tif 000004
【図３】
2014163179.tif 000005
【図４】
2014163179.tif 000006